(57)【特許請求の範囲】
【請求項１】
上下１対のスプロケットに巻き掛けられたチェーンの外側に複数のゴンドラが連続的に取り付けてあり、
上記ゴンドラは底板部の後部を立ち上げてなる後板部と上記底板部の前部を立ち上げてなる前板部と、上記後板部と上記前板部との上部にそれぞれ固着してある天板部とを備え、側方には、上記後板部と上記前板部の両端それぞれの間に開口部が設けてあり、上記天板部の上記開口部側両端は、上記後板部と上記前板部の両端それぞれから外へ張り出し、その張り出している両端に上記チェーンの回転方向直前に位置するゴンドラの両開口部を閉鎖可能な１対の舌片が設けてあり、
上記ゴンドラ内の上記後板部及び上記前板部それぞれの内面は、当該ゴンドラが最下位又は最上位に位置する時に上記チェーンの回転に伴う当該ゴンドラの姿勢変化により収容されているパチンコ玉を上記いずれかの開口部方向に転がらせる傾斜面に形成してあり、
上記最下位に位置するゴンドラの上記傾斜面のうち下側になる傾斜面の上流側に位置する上記開口部との対向面にはパチンコ玉の導入口が設けてあり、
上記最上位に位置するゴンドラの上記傾斜面のうち下側になる傾斜面の下流側に位置する上記開口部との対向面にはパチンコ玉の排出口が設けてある
ことを特徴とするパチンコ玉循環機構用ミニリフト。
【請求項２】
請求項１において、上記傾斜面は、上記ゴンドラが最下位に位置する時及び最上位に位置する時には一方の開口部側を高くなるように形成してあることを特徴とするパチンコ玉循環機構用ミニリフト。
【請求項３】
請求項１において、上記傾斜面は、上記ゴンドラが最下位に位置する時には上記前板部の内面は一方の開口部側を高くし、上記ゴンドラが最上位に位置する時には上記後板部の内面は他方の開口部側を高くしてあることを特徴とするパチンコ玉循環機構用ミニリフト。
【発明の詳細な説明】
【０００１】
【発明の属する技術分野】
本発明は、パチンコ玉循環機構用ミニリフトに関するものである。
【０００２】
【従来の技術】
従来からパチンコ遊技場に配置されている各島内には、パチンコ玉の循環機構を設け、これによりパチンコ玉の適正管理が行われている。例えば各パチンコ遊技機から排出されたアウト玉は、傾斜シュートを経由して揚送研磨装置に集められ、ここで揚送されながら研磨され、頂部の玉排出ユニットから貯留タンクに貯留するようになっている。貯留タンクに貯留されたパチンコ玉はさらに、各パチンコ遊技機からの要求に応じて揚送研磨装置に接続されている傾斜樋を経由し、分配チューブから各パチンコ遊技機へ分配されるようになっている（例えば特開平８−２５２３７６号公報）。
【０００３】
ところで、上記した傾斜シュートは、パチンコ玉が重力作用により転がり移動可能とするために、文字通り傾斜した通路となっているが、このためにパチンコ玉の流れの下流側が低くなっている。したがって傾斜シュートが長くなる程、下流側が低くなって、床面に接する程になり、それ以上に傾斜シュートを延長することが不可能となっている。そこで、このように低くなっている傾斜シュートには、小形のリフト（ミニリフト）を設けて、低所に到達したパチンコ玉をこのミニリフトで高所へ移動させ、再び高所から低所へ向けて移動可能に設けられた傾斜シュートを経由して揚送研磨装置へ供給され、あるいは玉貯蔵タンクへ貯蔵可能となっている（例えば特開平１１−２０７００６号公報）。
【０００４】
ミニリフトには、各種の形式のものがあるが、図８はチェーンに多数のゴンドラを取り付けてなるチェーンゴンドラ式のミニリフトの例を示している。このミニリフトの概略は、同図（ａ）に示すように、上下１対のスプロケット８１，８２にチェーン８３が巻き掛けてあり、チェーンを構成する各外側のリンク８３aごとにゴンドラ８４を取り付けたものにより構成されている。ゴンドラ８４は、チェーン８３が垂直になっている範囲に位置するものは、規則的に並んでおり、同図ではチェーン右側の部分が、上昇側となっているため右側に位置する各ゴンドラは上向きとなっており、左側の部分に位置する各ゴンドラは下向きとなっている。
【０００５】
チェーン８３が垂直になっている範囲の各ゴンドラ８４の外側には、パチンコ玉Ｂが通過不能な狭さの隙間を設けた状態で筐体８５が設けてある。この筐体８５は同図（ｂ）に示すように、各ゴンドラ８４の両側にも同様の隙間で設けてある。上昇側チェーン（図８（ａ）の右側）の下端部近傍の上記筐体８５には、パチンコ玉の導入口８６が設けてある。この導入口８６は、傾斜シュート（図４，５参照）の先端部が接続されており、ここからミニリフトにパチンコ玉を供給可能となっている。
【０００６】
また、上昇側チェーンの上端近傍には、パチンコ玉の排出口８７が設けてある。同図（ｃ）に示すように、この排出口８７は、ゴンドラ８４の両側から外へ転がり落ちた玉を受け取れるように、筐体８５の両側に設けてある。この排出口８７は、チェーン８３の上昇側で筐体８５の外側に位置する傾斜シュート又は玉貯蔵タンク（いずれも図示略）に接続されている。ゴンドラ８４は、底板が山形になっており、両側には側板を設けず、いずれも開口となっているため、導入口８６から供給されたパチンコ玉Ｂは常にこれらの開口から落下可能な状態になっている。しかし、排出口８７以外の位置では筐体８５によって開口が遮断されているため、こぼれ落ちることがなく、排出口に到達して遮断状態が解除されるため、初めて左右両側へ排出可能となっている（同図（ｂ）参照）。
【０００７】
こうして、一方の傾斜シュートからミニリフトの低位置に供給されたパチンコ玉Ｂは、ゴンドラ８４により高所へ運ばれ、排出口８７から他方の傾斜シュートへ排出され、さらに下流側へ転がり移動するようになっている。
【０００８】
【発明が解決しようとする課題】
しかしながら上記従来技術のミニリフトは、導入口８６及び排出口８７をチェーン８３の垂直になっている範囲、すなわち上下のスプロケット８１，８２の中心間の範囲にのみ設けなければならないために、リフトの揚程が小さくなってしまう短所がある。すなわち、上記したように、パチンコ玉Ｂはゴンドラ８４が上向きになっていることを前提として構成されているため、チェーン８３がスプロケット８１，８２に巻き掛けられている範囲には、出入口を設けることができない分だけ、揚程を小さくせざるを得ない構成となっているということである。
【０００９】
このように揚程を大きくすることについては限界があることから派生する問題として、傾斜シュート間に設けるミニリフトの数を少なくできない問題がある。このことは、それだけパチンコ遊技場における島の構成が複雑化し、設備費削減を制約していることになる。また、揚程が大きければ大きい程、パチンコ玉の貯蔵タンクも大きくすることができるのであるが、上記従来例のミニリフトでは、これ以上の揚程を得ることができないため、貯蔵タンクを大きくすることについても制約が存在する問題がある。
【００１０】
そこで本発明の目的は、揚程の大きいミニリフトを提供することによりパチンコ遊技場におけるパチンコ玉循環機構のコストを低減することにある。
【００１１】
【課題を解決するための手段】
本発明のミニリフトは、パチンコ遊技場における島の内部に設けられるパチンコ玉の循環機構の一部を担うものであるが、上記の目的を達成するために、以下の構成を採用することにより各々の作用効果を生じるようにしたものである。
【００１２】
（請求項１に記載した発明の構成）
本発明に係るミニリフトの基本構成は、上下１対のスプロケットに巻き掛けられたチェーンの外側に複数のゴンドラを連続的に取り付け、低所に設けられた導入口からこれらの各ゴンドラに供給された複数のパチンコ球をチェーンの回転移動により持ち上げ、高所に設けられた排出口から排出可能とするものであることについては上記従来技術と同様である。
【００１３】
しかしながら本発明に係るミニリフトを構成するゴンドラは、上昇姿勢において底板の後部を立ち上げてなる後板部と、底板の前部を立ち上げてなる前板部と後板部と前板部との上部にそれぞれ固着してある天板部とを備え、側方には、後板部と前板部の両端それぞれの間にパチンコ玉の出入り口となる開口部が設けてある。天板部の開口部側両端は後板部と前板部の両端それぞれから外へ張り出し、その張り出している両端にチェーンの回転方向直前に位置するゴンドラの両開口部を閉鎖可能な１対の舌片が設けてある。ゴンドラ内の後板部及び前板部のそれぞれの内面は、各ゴンドラが最下位又は最上位に位置する時に上記チェーンの回転に伴う上記ゴンドラの姿勢変化により収容されているパチンコ玉を上記いずれかの開口部方向に転がらせる傾斜面に形成してある。最下位に位置するゴンドラの上記傾斜面のうち下側になる傾斜面の上流側に位置する上記開口部との対向面には、上記したパチンコ玉の導入口が設けてある。同様にして、最上位に位置するゴンドラの上記傾斜面のうち下側になる傾斜面の下流側に位置する開口部との対向面には上記したパチンコ玉の排出口が設けてある。
【００１４】
（請求項１に記載した発明の作用効果）
本発明は、上記の構成を採用することにより、パチンコ玉の揚送距離、すなわち揚程を大きくすることができる。すなわち、パチンコ玉の導入口と排出口との高さの差が揚程となるのであるが、この導入口は最下位に位置するゴンドラの開口部と対向可能とし、排出口は最上位に位置するゴンドラの開口部と対向可能としてあるため揚程が最大値となっている。このように最大揚程を得ることができるのは、ゴンドラの構成をゴンドラが最下位及び最上位に位置するときに、パチンコ玉の導入及び排出を可能にしてあることによる。
【００１５】
ゴンドラは最下位及び最上位に位置するときは、後続のゴンドラの舌片が開口部から外れているため、開口部が開いて玉の出入を可能としてある。しかし、ゴンドラが上方に運ばれる(揚送)時にはこれらの舌片によって両開口部が塞がれるようになっているため、パチンコ玉は両側の開口部のいずれからもこぼれ落ちることがなく、パチンコ玉は所期の通り揚送される。なお、ゴンドラが最下位又は最上位にあるときには、後板部又は前板部の内面はどちらかの方向への傾斜面となっているため、パチンコ玉の転がり移動が容易化されている。
【００１６】
（請求項２に記載した発明の特徴）
上記した構成におけるゴンドラの傾斜面は、ゴンドラが最下位に位置する時には、前板部の内面は一方の開口部側を高くするように形成してある。このため、導入口から進入したパチンコ玉は容易に反対側に向かって転がり移動容易となっている。また、ゴンドラが最上位に位置する時には、後板部の内面は、同じく一方の開口部側を高くするように形成してパチンコ玉が容易に排出口に向かって転がり移動するようにしてある。このようにゴンドラ内に傾斜面を設けたことにより一方の側の傾斜シュートからゴンドラ内に供給されたパチンコ玉が他方の開口部側に設けられた排出口から次の傾斜シュート等へ円滑に排出可能となる。
【００１７】
（請求項３に記載した発明の特徴）
また、他の手段として、上記した傾斜面をゴンドラが最下位に位置する時には、前板部の内面を一方の開口部側を高くするように形成してあることについては請求項２に記載した発明と同様である。しかし、ここではゴンドラが最上位に位置する時には、後板部の内面は他方の開口部側を高くなるように形成して同じ一方の開口部からパチンコ玉が出てくるようにしてあるところに特徴がある。これは導入口と排出口とを同じ側に設けるようにすることを可能にするものであり、パチンコ玉の移動方向を規制可能とするものである。
【００１８】
【発明の実施の形態】
（第１形態例の構成）
図１（ａ）に示すように、本発明に係るミニリフトＭ１の基本構成は、上記従来例と同様に、上下１対のスプロケット１，２にチェーン３が巻き掛けてあり、このチェーンを構成するチェーンリンク３ａ，３ｂに複数のゴンドラ４，…を連続的かつエンドレス状に取り付けてある。チェーン３は、対向する１対の外側リンク３ａと対向する１対の内側リンク３ｂとを交互に並べ、ピン３ｃで互いに連結したものからなり、ジョイント３ｄを介してエンドレス体としなものにより構成してある。対向する各リンク間の各ピン３ｃにはローラ（図示略）が挿着してあり、スプロケット１，２との間の抵抗が小さくなるようにしてある。
【００１９】
このミニリフトＭ１は、下方のスプロケット１が駆動手段（図示略）により反時計回り方向に回転すると、右側のチェーン列では上昇側となっており、左側のチェーン列では下降側となっている。各ゴンドラ４は、それぞれ１個置きにチェーンの外側リンク３ａに取り付けてあり、チェーン列の上昇側では上向きになっており、反対側の下降側では下向きになっている。左右両側のゴンドラ列の外側にはカバー５を設けることにより騒音や安全の対策及びパチンコ玉の逸散防止を図ってある。
【００２０】
図１（ｂ）に示すように、上記したカバー５はゴンドラ列の両側部も覆っている。両側部のカバー５は後述するゴンドラの側板（舌片）との間にパチンコ玉が通過不能な間隔に設けてある。カバー５の左側下端部近傍にはパチンコ玉の導入口６が設けてある。この導入口６はカバー５の下端部近傍に設けてある接続部５ａと一体になっている。また、カバー５の右側上端部近傍にはパチンコ玉の排出口７が設けてある。排出口７もカバー５の右側上端部近傍に設けてある接続部５ｂと一体となっている。
【００２１】
図２は、ゴンドラ４が図１の最上位に位置する状態を取り出して三方から見た状態を示したものである。図示してあるように、ゴンドラ４は、長方形の底板部４ａの後部を垂直に立ち上げてなる後板部４ｂと、底板部の前部を立ち上げてなる前板部４ｃと、後板部と前板部との上部にそれぞれ固着してある天板部４ｄとの４面体からなる。側方には、後板部４ｂと前板部４ｃの両端それぞれの間に開口部４ｇが設けてある。天板部４ｄの開口部側両端は、後板部４ｂと前板部４ｃの両端それぞれから外へ張り出し、その張り出している両端に１対の舌片４ｅ，４ｅが垂直に設けてある。舌片４ｅは、扇状の板状体からなり、一側部がそれぞれ天板部４ｄの上面両側部に固着されている。なお、ゴンドラのチェーンリンク３ａへの取り付けは、後板部４ｂに設けてある１対のネジ孔４ｆ，４ｆを用いてビス（図示略）で固定してある。図３に上記のゴンドラ４の参考図を示す。
【００２２】
ゴンドラ４は、上昇側に位置するとき（図１参照）には、底板部４ａが水平となり、前後を前板部４ｃと後板部４ｂとによりゴンドラ内部を挟み込んだ状態となっている。そして側方には、後板部４ｂと前板部４ｃの両端それぞれの間に開口部４ｇ，４ｇを形成している。両開口部４ｇ，４ｇは、下方（後方）に位置するゴンドラの舌片４ｅ，４ｅにより挟み込まれるように位置しているために、それらの大部分、特に底板部近傍の開口部の範囲は完全に覆われた状態となる。このためゴンドラ内に供給されたパチンコ玉はここからこぼれ落ちることなく、ゴンドラの上昇によって揚送可能となっている。
【００２３】
また、後板部４ｂ及び前板部４ｃそれぞれの内面は、傾斜面に形成することにより、ゴンドラ４が最下位又は最上位に位置したときに、パチンコ玉が重力作用で転がり移動可能としてある。すなわち、ゴンドラ４が最下位に位置するときには、この傾斜面により導入口６から入って来るパチンコ玉は停滞することなくゴンドラ内へ充填容易とすることにより、パチンコ玉の揚送量が多くなるように配慮してある。また、後板部４ｂは、ゴンドラ４が最上位に来たときには、後板部４ｂの右側を低くする傾斜面に形成してあることにより、パチンコ玉を他方の開口部から容易に排出可能としてある。
【００２４】
図４は、パチンコ玉の循環機構におけるミニリフトＭ１とその前後の傾斜シュートとの関係を示している。図示してあるように、ミニリフトＭ１には傾斜シュート１１，１２が接続されているが、各傾斜シュートは図５に示すように、いずれも右高に傾斜している。したがって、この循環機構におけるパチンコ玉の流れは右から左に向っていることになる。なお、図示してあるように、傾斜シュート１１，１２の両側は、それぞれ膳板ユニット１３，１３の谷間に挟み込まれたような状態に取り付けられており、各膳板ユニット上にはパチンコ遊技機（図示略）が並列に設置してある。
【００２５】
各パチンコ遊技機から排出された多数のアウト玉Ｂは、傾斜シュート１１上へ落下し、その傾斜面に沿って転がりながら移動する。傾斜シュート１１のミニリフトＭ１の直前上流には、移動中のパチンコ玉Ｂをミニリフトへ誘導するためのガイド部１１ａが設けてあり、パチンコ玉はこのガイド部を経て次々と導入口６からミニリフトＭ１内へ供給される。
【００２６】
ミニリフトＭ１で最下位から最上位まで揚送された多数のパチンコ玉Ｂは排出口７から排出され、これに接続してある傾斜シュート１２上を転がり移動する。傾斜シュート１２の上流側端部は、排出口７の接続部と接続するために狭くした挟路１２ａとなっているが、パチンコ遊技機が設置される膳板ユニットに挟まれている範囲では通常の幅に戻っている。傾斜シュート１２の下流側は徐々に低くなり、次のミニリフト又は揚送研磨装置などに接続可能となっている。
【００２７】
（第１形態例の作用）
次にミニリフトＭ１内におけるパチンコ玉の動きについて、再び図１を参照して説明する。まず上記した傾斜シュート１１（図４，５参照）からミニリフトＭの最下部左側に位置する導入口６を経て、最下位に位置するゴンドラ４へ複数のパチンコ玉Ｂが供給される。この時、ゴンドラの開口部４ｇは開いているため、パチンコ玉Ｂは導入口６から容易にゴンドラ４内へ供給可能となっている。これらのパチンコ玉Ｂは、ゴンドラの前板部４ｃが右側を低くする傾斜面となっているため、円滑に転がって右方へ移動する。また、導入口６が、ゴンドラの舌片４ｅにより塞がれた状態となっている時には、パチンコ玉Ｂは、接続部５ａ内で待機し、開口部４ｇが導入口６と重なってここからパチンコ玉が通過可能となった時に再びパチンコ玉の供給が開始される。
【００２８】
パチンコ玉Ｂがゴンドラ４内の傾斜面を転がっている間も、チェーン３は回転移動しているため、各ゴンドラ４，…も上スプロケット２の外側に差し掛かると少しずつ姿勢を変え、底板部４ａが徐々に図１（ａ）で右高となり、やがてこの底板部が水平で後板部４ｂと前板部４ｃとが垂直の正常状態となる。この姿勢の変化に対応して、ゴンドラ内に収容されている各パチンコ玉Ｂも移動するが、前後の開口部４ｇ，４ｇからこぼれ落ちようとするものも出てくる。これに対しては、後続のゴンドラの舌片４ｅが開口部４ｇを閉め切るように進出して遮断することによりパチンコ玉の流出を防止するようにしてある。
【００２９】
こうしてゴンドラ４内に収容されたパチンコ玉はゴンドラ４の上昇に伴って上昇し、このゴンドラが最上位に達すると、こんどはゴンドラの後板部４ｂが下になって水平状態となるため、図１（ｂ）に示すように、各パチンコ玉Ｂは傾斜面に沿って左から右へ移動する。このとき、ゴンドラの開口部４ｇは舌片４ｅによる閉鎖が解除になっているため、排出口７から接続部５ｂを経て傾斜シュート１２へ排出可能となる。
【００３０】
こうして揚送されて来たパチンコ玉をすべて排出したゴンドラ４は、横向きから下向きに転じて空荷のまま下降し、最下位に到達して再びパチンコ玉の供給を受けることにより揚送運動を繰り返す。このようにミニリフトの揚送運動は、いずれのゴンドラについても同様に行われることにより、パチンコ玉の移動が円滑に行われる。
【００３１】
（第２形態例の構成）
図６は、第２形態例としてミニリフトＭ２を示したもので、その導入口６６と排出口６７とをミニリフトの同じ側に設け、かつ排出口に玉貯蔵タンク７２を設置したものである。これはミニリフトＭ２の設置スペースや傾斜シュート７１等の設置条件などから選択的に採用可能としてある。この形態例におけるミニリフトＭ２は傾斜シュート７１の配置除外範囲７１ｂ内に、上記第１形態例の配置とは９０°（２７０°）に傾けて、玉導入口６６及び玉排出口６７を傾斜シュートのガイド部７１ａに直交するようにしてある。
【００３２】
第２形態例におけるパチンコ玉Ｂの流れは、傾斜シュート７１から導入口６６で直角に方向変換して最下位に位置するゴンドラ６４内に入り、ゴンドラの上昇により、揚送され最下位に達するとゴンドラの開口部から玉排出口６７へ転がり出し、玉貯蔵タンク７３のガイド部材７３ａの上に排出される。排出時におけるパチンコ玉の動きもゴンドラの傾斜面上を転がり、玉排出口に直交するように設けられたガイド部材７３ａ上に方向転換して転がり移動する。ガイド部材７３ａ上を転がり移動中のパチンコ玉は、適宜落下して、玉貯蔵タンク７３内に貯蔵される。
【００３３】
第１形態例におけるパチンコ玉のゴンドラ内における移動は、玉導入口６と玉排出口７とがゴンドラを挟んでそれぞれ反対側に設けてあったので、パチンコ玉が転がり、移動するための傾斜面は、開口部が導入口６と対向している時には、前方を低くしてある。これとともに、開口部が排出口７と対向している時にも前方を低くするように構成してある（図２，３参照）。これに対し、本実施形態例では、パチンコ玉がゴンドラの同じ側から入り、同じ側から出るようになっているため、ゴンドラが最下位に位置する時には前方を低くしてあることはもちろん、最上位に位置する時には、手前側を低くするように形成して同じ開口部から排出可能としてある。
【００３４】
図７に、第２形態例で採用してあるゴンドラの例を示してある。このゴンドラ６４の基本的構成は、第１形態例のゴンドラ４と同様であり、ゴンドラ内部の傾斜面も後板部６４ｂ側が入口の方が高くなっていることも同様である。しかし、前板部６４ｃの傾斜面は、後板部６４ｂのそれと平行になっているところが異なっている。この結果、ゴンドラ６４が上下位置を変えて反転しても、傾斜面が同じ向きになる。すなわち、玉導入口６６からゴンドラ内に入ったパチンコ玉は、この傾斜面上を転がって奥の方へ移動するが、ゴンドラが最上位に達して、開口部６４ｇが開くと、こんどは傾斜面に沿って入る時と同じ入口側へ転がり出すことにより、排出口６７から排出可能となる。
【００３５】
第２形態例のゴンドラ６４は、同じ開口６４ｇでパチンコ玉Ｂが出入りするので、他方の開口６４ｈは不要となる。したがってこの開口６４ｈとなるべき面を塞いでパチンコ玉が反対側へこぼれ落ちないようにすることも可能である。さらに、このことは他方の舌片（図７右側）６４ｅも不要となるので、これをカットした単純な形状とすることも可能である。
【００３６】
第２形態例では、玉排出口６７の下流側に玉貯蔵タンク７３を設けてあるが、これはもちろん第１形態例と同様に傾斜シュートとしてもよい。また、舌片の大きさや形状等は、状況に応じて任意に変更可能であり、チェーンへの装着構造などについては、従来技術をそのまま採用することも可能である。なお、本発明は以上の説明において、パチンコ玉の循環機構に適用することを前提として説明してあり、寸法的に小さいものであることからミニリフトという名称を採用してある。しかし、本発明はパチンコ玉の循環機構以外の粒体の搬送装置全般にも採用可能であり、寸法的にもミニリフトと呼ぶことが不相応な大きさの大型のリフトとして採用することも可能である。
【００３７】
【発明の効果】
本発明によれば、パチンコ玉の導入口を最下位のゴンドラの開口部と対向させてあるとともに、排出口を最上位のゴンドラの開口部と対向可能な構成を採用してあるので、ミニリフトの揚程を大きくすることができる。したがって、パチンコ遊技場の循環機構におけるミニリフトの設置間隔を大きくすることができるため、ミニリフトの設置数を減らすことができる。また、これによりパチンコ玉の循環機構の簡単化を実現することができるので設備費を低減することができる。さらにまた、ミニリフトの真ぐ下流側に玉貯蔵タンクを設ける場合には、ミニリフトの揚程が大きくなればそれだけ、タンクの高さも大きくすることができるので、パチンコ玉の貯蔵量を大きくすることが可能となる。
【図面の簡単な説明】
【図１】第１形態例におけるミニリフトの構成を示すものであり、（ａ）は内部構成を示す正面図、（ｂ）は同じく側面図である。
【図２】第１形態例におけるゴンドラの構成を示すものであり、（ａ）は正面の断面図、（ｂ）は側面図、（ｃ）は側面の断面図である。
【図３】第１啓太入れにおけるゴンドラの斜視図である。
【図４】第１形態例におけるミニリフトと傾斜シュートとの関係を示す平面図である。
【図５】第１形態例におけるミニリフトと傾斜シュートとの関係を示す正面図である。
【図６】第２形態例におけるミニリフトと傾斜シュートとの関係を示す正面図である。
【図７】第２形態例のゴンドラの構成を示す斜視図である。
【図８】ミニリフトの従来例の内部構成を示すものであり、（ａ）は正面図、（ｂ）は側面図、（ｃ）は平面図である。
【符号の説明】
Ｍ，Ｍ１，Ｍ２  ミニリフト
１，２  スプロケット
３  チェーン
４，６４  ゴンドラ
４ａ，６４ａ  底板部
４ｂ，６４ｂ  後板部
４ｃ，６４ｃ  前板部
４ｄ，６４ｄ  天板部
４ｅ，６４ｅ  舌片
４ｇ，６４ｇ，６４ｈ  開口
５  カバー
５ａ，５ｂ  接続部
６，６６  導入口
７，６７  排出口
１１，１２，７１，７２  傾斜シュート
７３  玉貯蔵タンク
【図１】
0004514008.tif 000002
【図２】
0004514008.tif 000003
【図３】
0004514008.tif 000004
【図４】
0004514008.tif 000005
【図５】
0004514008.tif 000006
【図６】
0004514008.tif 000007
【図７】
0004514008.tif 000008
【図８】
0004514008.tif 000009